(57)【要約】【課題】商品を効率よく店舗に配送することができ、陳列作業の手間を軽減できる物流包装の用具を提供する。【解決手段】段ボール製のトレイ３の底面に、段ボールシートを筒状に巻いたスリーブ４が複列に並行するように間隔をあけて貼り付けられたトレイ体１と、車輪２１が桁材２２の一端部に取り付けられた複数の対をなす車輪ユニット２とからトレイ台車を構成する。各対の車輪ユニット２は、桁材２２を互いに摺り合わせるようにスリーブ４の相対する端部から差し込んで、トレイ体１に装着し、また、桁材２２をスリーブ４から引き抜くことにより、トレイ体１から離脱可能とする。トレイ体１に車輪ユニット２を装着した状態において、車輪ユニット２の車輪２１がスリーブ４より下方へ突出して、トレイ体１が車輪２１により移動可能に支持されるものとする。【選択図】図１
0003210154.tif 000002
【実用新案登録請求の範囲】
【請求項１】
段ボール製のトレイ(3)の底面に、段ボールシートを筒状に巻いたスリーブ(4)が複列に並行するように間隔をあけて貼り付けられたトレイ体(1)と、車輪(21)が桁材(22)の一端部に取り付けられた複数の対をなす車輪ユニット(2)とから成り、
前記各対の車輪ユニット(2)は、前記桁材(22)を互いに摺り合わせるように前記スリーブ(4)の相対する端部から差し込んで、前記トレイ体(1)に装着され、また、前記桁材(22)を前記スリーブ(4)から引き抜くことにより、前記トレイ体(1)から離脱可能とされ、
前記トレイ体(1)に前記各対の車輪ユニット(2)を装着した状態において、前記車輪ユニット(2)の車輪(21)がそれぞれ前記スリーブ(4)より下方へ突出して、前記トレイ体(1)が前記車輪(21)により移動可能に支持されるトレイ台車。
【請求項２】
前記各対の車輪ユニット(2)において、その一方の桁材(22)には他方の桁材(22)との摺合面に係合突起(24)が設けられ、他方の桁材(22)には一方の桁材(22)との摺合面に係合凹所(25)が設けられ、
前記係合突起(24)と係合凹所(25)が係合して、前記各対の車輪ユニット(2)の両端部に位置する車輪(21)の間隔が固定されることを特徴とする請求項１に記載のトレイ台車。
【請求項３】
前記各対の車輪ユニット(2)の桁材(22)では、前記係合突起(24)及び係合凹部(25)のいずれか一方が前記桁材(22)の長さ方向に間隔をあけて複数個配置され、
前記トレイ(3)の大きさに応じて、前記各対の車輪ユニット(2)の桁材(22)の重なる長さを調整することにより、前記各対の車輪ユニット(2)の両端部の間隔が変化し、
前記係合突起(24)と係合凹所(25)のうち、位置が揃うものが係合して、前記各対の車輪ユニット(2)の両端部に位置する車輪(21)の間隔が調整された状態で固定されることを特徴とする請求項２に記載のトレイ台車。
【考案の詳細な説明】
【技術分野】
【０００１】
この考案は、段ボール製のトレイに車輪が取り付けられ、商品の運搬や陳列等に使用されるトレイ台車に関するものである。
【背景技術】
【０００２】
一般に、店舗で商品を陳列する場合には、陳列台を組み立てて売場に設置しておき、店舗に商品をかご車に載せて搬入し、かご車を押して売場まで移動させ、商品をかご車から陳列台に載せ替えて並べる。
【０００３】
このかご車として、下記特許文献１には、図８に示すように、かご体５１の下部両側に一対の車輪ユニット５２を装着して構成されるものが記載されている。
【０００４】
かご体５１は、底板５３、両側面及び後面に金属製の棒材を格子状に組み合わせた柵５４を備え、かご体５１の前面は、商品の落下防止用のガード帯５５とガード棒５６で開閉可能とされている。かご体５１の底面の両側部には、車輪ユニット５２の装着用として、フランジ付きの溝形材５７が取り付けられている。
【０００５】
車輪ユニット５２は、図９に示すように、桁材５８の両端部に車輪５９が旋回自在に取り付けられたものであり、商品の運搬時には、桁材５８を溝形材５７に前方から差し込んでかご体５１に装着され、また、倉庫等に保管しておく際には、桁材５８を溝形材５７から引き抜くことにより、かご体５１から離脱可能とされている。
【先行技術文献】
【特許文献】
【０００６】
【特許文献１】特開平１１−３４８９８９号公報
【考案の概要】
【考案が解決しようとする課題】
【０００７】
しかしながら、上記のようなかご車を使用する場合、例えば、商品を段ボール箱で全体的に包装した状態でかご体に収納しなければならず、陳列時に段ボール箱等を切り開かなければならないため、作業に手間がかかる。
【０００８】
また、かご体に商品を無駄な隙間が生じないように積むことが困難であるため、物流コストが嵩むという問題があるほか、使用しないときの保管スペースを広く確保する必要があり、店舗のバックヤード等のスペースを圧迫するという問題もある。
【０００９】
そこで、この考案は、商品を効率よく店舗に配送することができ、陳列作業の手間を軽減できる物流包装の用具を提供しようとするものである。
【課題を解決するための手段】
【００１０】
上記課題を解決するため、この考案において提供するトレイ台車は、段ボール製のトレイの底面に、段ボールシートを筒状に巻いた複数本のスリーブが並行するように間隔をあけて貼り付けられたトレイ体と、車輪が桁材の一端部に取り付けられた複数の対をなす車輪ユニットとから成り、
前記各対の車輪ユニットは、前記桁材を互いに摺り合わせるように前記スリーブの相対する端部から差し込んで、前記トレイ体に装着され、また、前記桁材を前記スリーブから引き抜くことにより、前記トレイ体から離脱可能とされ、
前記トレイ体に前記各対の車輪ユニットを装着した状態において、前記車輪ユニットの車輪がそれぞれ前記スリーブより下方へ突出して、前記トレイ体が前記車輪により移動可能に支持されるものとしたのである。
【００１１】
また、前記各対の車輪ユニットにおいて、その一方の桁材には他方の桁材との摺合面に係合突起が設けられ、他方の桁材には一方の桁材との摺合面に係合凹所が設けられ、
前記係合突起と係合凹所が係合して、前記各対の車輪ユニットの両端部に位置する車輪の間隔が固定されるものとしたのである。
【００１２】
さらに、前記各対の車輪ユニットの桁材では、前記係合突起及び係合凹部のいずれか一方が前記桁材の長さ方向に間隔をあけて複数個配置され、
前記トレイの大きさに応じて、前記各対の車輪ユニットの桁材の重なる長さを調整することにより、前記各対の車輪ユニットの両端部の間隔が変化し、
前記係合突起と係合凹所のうち、位置が揃うものが係合して、前記各対の車輪ユニットの両端部に位置する車輪の間隔が調整された状態で固定されるものとしたのである。
【考案の効果】
【００１３】
この考案に係るトレイ台車では、かご車を使用することなく、車輪ユニットを装着したトレイ体のトレイに商品を載せ、カバー等を被せて店舗へ配送し、売場まで押して移動させ、カバー等を除去するだけで商品を陳列することができる。従って、商品の陳列を効率よく行うことができ、作業の省力化を図ることができる。
【００１４】
また、商品の大きさに対応したトレイを使用でき、トレイの大きさに応じて、各対の車輪ユニットの両端部に位置する車輪の間隔を変化させることができるので、商品の輸送効率を高められ、店舗内での移動時における取り回しも容易になる。
【００１５】
さらに、陳列終了後には、段ボール製のトレイ及びスリーブをリサイクル処理でき、かご車を保管しておく必要がなく、物流に要するバックヤード等のスペースを削減できるほか、トレイ体から離脱させた車輪ユニットは、保管しても嵩張ることがなく、繰り返して使用することができる。
【図面の簡単な説明】
【００１６】
【図１】この考案の実施形態に係るトレイ台車の組立状態を示す斜視図
【図２】同上のトレイ体への車輪ユニットの装着過程を下方から示す斜視図
【図３】同上の対をなす車輪ユニットを示す斜視図
【図４】同上の小型のトレイ体への車輪ユニットの装着状態を示す断面図
【図５】同上の（Ｉ）中型のトレイ体への車輪ユニットの装着状態、（II）大型のトレイ体への車輪ユニットの装着状態それぞれ示す概略断面図
【図６】同上のトレイ台車による商品の輸送用梱包状態を示す斜視図
【図７】同上のトレイ台車による商品陳列状態を示す斜視図
【図８】特許文献１に記載のかご車の使用状態を示す斜視図
【図９】同上の車輪ユニットの離脱状態を示す斜視図
【考案を実施するための形態】
【００１７】
以下、この考案の実施形態を添付図面に基づいて説明する。
【００１８】
このトレイ台車は、図１及び図２に示すように、商品を載せるトレイ体１と、その底部に装着される車輪ユニット２とから構成される。トレイ体１は、段ボール製のトレイ３の底面に、段ボールシートを筒状に巻いたスリーブ４を２列に並行するようにトレイ３の長さ方向に間隔をあけて貼り付けたものとされている。
【００１９】
車輪ユニット２は、ストッパ付きの車輪２１が木製の長い板材である桁材２２の一端部に旋回自在に取り付けられたものであり、２列のスリーブ４に対応して、トレイ３の長さ方向に延びるものが２対用意されている。各対の車輪ユニット２の桁材２２は、スリーブ４への差し込み時に、その上面と下面が互いに擦り合わされる。
【００２０】
トレイ３は、隣り合う長さ方向の側壁５及び幅方向の端壁６を周方向に継ぎ合わせ、側壁５及び端壁６の下端からそれぞれ延びるフラップを重ね合わせて長方形の底壁７を形成したものであり、側壁５及び端壁６はそれぞれ二重構造とされ、対向する端壁６には、それぞれ２個の挿通穴８が横方向に間隔をあけて設けられている。
【００２１】
スリーブ４は、トレイ３の底壁７に貼り付けられる上面側が二重に重ね合わされて保形され、下面側に車輪２１を下方へ突出させるための切欠部９が形成されている。
【００２２】
また、図３に示すように、各対の車輪ユニット２における桁材２２の相対する一端部には、一方の桁材２２の上面及び他方の桁材２２の下面に、それぞれ四角形の板材から成る突当材２３が取り付けられ、桁材２２の下面側の突当材２３は、車輪２１の取付部と桁材２２の間に介在している。
【００２３】
そして、一方の桁材２２には、他方の桁材２２との摺合面に、ねじ込んだビスの頭部である係合突起２４が設けられ、他方の桁材２２には、一方の桁材２２との摺合面に、掘り込みにより係合凹所２５が設けられている。係合凹所２５は、桁材２２の長さ方向に間隔をあけて複数個（図示のものでは３個）配置されている。
【００２４】
上記各部材から成るトレイ台車は、使用に際し、図１及び図２に示すように、各対の車輪ユニット２を、それぞれの桁材２２が互いに摺接するように、スリーブ４の相対する端部から差し込んで、トレイ体１に装着する。
【００２５】
このとき、図４に示すように、トレイ体１が小型である場合には、各対の車輪ユニット２の桁材２２の先端を互いに他方の突当材２３に当接させ、桁材２２が最大限重なるようにすると、一方の桁材２２の係合突起２４が他方の桁材２２の基端寄りの係合凹所２５に係合して、各対の車輪ユニット２の両端部の間隔が縮められた状態で固定される。
【００２６】
また、図５（Ｉ）に示すように、トレイ体１が中型である場合には、各対の車輪ユニット２の桁材２２を、重なる長さが少し短くなるように相対的にスライドさせると、一方の桁材２２の係合突起２４が他方の桁材２２の中間の係合凹所２５に係合して、各対の車輪ユニット２の両端部の間隔が中間の寸法で固定される。
【００２７】
また、図５（II）に示すように、トレイ体１が大型である場合には、各対の車輪ユニット２の桁材２２を、重なる長さがさらに短くなるように相対的にスライドさせると、一方の桁材２２の係合突起２４が他方の桁材２２の先端寄りの係合凹所２５に係合して、各対の車輪ユニット２の両端部の間隔が最大に伸ばされた状態で固定される。
【００２８】
このようにトレイ体１に車輪ユニット２を装着したトレイ台車を使用して、例えば、図６に示すように、袋詰めされた食品等の商品Ｇを店舗へ配送する際には、予め開口させた段ボール箱１０に商品Ｇを収容して、多数個の段ボール箱１０をトレイ３の底壁７の上に積み重ね、全ての段ボール箱１０を覆うように、段ボール製のカバー１１を被せる。
【００２９】
このとき、カバー１１の下部は、トレイ３の外周に被さるようにする。カバー１１の下部には、トレイ３の端壁６と同様、予め挿通穴８を設けておく。
【００３０】
そして、トレイ３とカバー１１の一致した挿通穴８にプラスチック製のジョイント具１２を挿通して、トレイ３の内部でジョイント具１２の爪を開かせることにより、ジョイント具１２を挿通穴８から抜け止めし、トレイ３とカバー１１とを結合する。
【００３１】
このような梱包状態で配送された商品Ｇを店舗で陳列する際には、トレイ台車を押して車輪２１の転動に伴い売場まで移動させ、ジョイント具１２を取り外して、トレイ３とカバー１１の結合を解除し、カバー１１を除去して、図７に示すように、各段の段ボール箱１０に収容された商品Ｇを露出させる。また、車輪２１のストッパをかけて、トレイ台車の不意の移動を防止する。
【００３２】
上記のように、このトレイ台車では、かご車を使用することなく、車輪ユニット２を装着したトレイ体１のトレイ３に、予め開口した状態で商品Ｇを収容した段ボール箱１０を載せ、カバー１１を被せて店舗へ配送し、売場まで押して移動させ、カバー１１を除去するだけで、商品Ｇを陳列することができる。
【００３３】
従って、かご車から陳列台へ商品Ｇを載せ替える必要がなく、カッターナイフで段ボール箱１０を切り開くような作業も不要となり、商品Ｇの陳列を効率よく行うことができ、作業の省力化を図ることができる。
【００３４】
また、商品Ｇの大きさに対応したトレイ３を使用でき、トレイ３の大きさに応じて、各対の車輪ユニット２の両端部に位置する車輪２１の間隔を変化させることができるので、商品Ｇの輸送効率を高められ、店舗内での移動時における取り回しも容易になる。
【００３５】
さらに、陳列終了後には、トレイ体１を構成する段ボール製のトレイ３及びスリーブ４はリサイクル処理でき、かご車を保管しておく必要がなく、物流に要するバックヤード等のスペースを削減できるほか、トレイ体１から離脱させた車輪ユニット２は、保管しても嵩張ることがなく、繰り返して使用することができる。
【００３６】
なお、上記実施形態では、トレイ体１において、商品Ｇを段ボール箱１０に収容した状態でトレイ３に載せることとしているが、商品Ｇの大きさや性質によっては、トレイ３に商品Ｇを直接載せるようにしてもよい。
【００３７】
また、トレイ３として、天面が開放されたものを例示しているが、トレイ３は、天面に蓋を有する箱体としてもよい。
【００３８】
また、トレイ３として、周方向に連なった各一対の側壁５及び端壁６の下端から底壁７を形成するフラップが延出されたいわゆる半Ａ式のものを例示しているが、トレイ３は、底壁の周囲４辺に連設された各一対の側壁及び端壁を上方へ折り曲げて周壁を形成するいわゆる奴式のものとしてもよい。
【００３９】
そのほか、車輪ユニット２の桁材２２として、木製のものを例示しているが、桁材２２は、繰り返して使用可能な耐久性を有するプラスチック製や金属製としてもよい。
【００４０】
また、車輪ユニット２の桁材２２において、係合凹所２５を３個１列に設けたものを例示しているが、４個以上の係合凹所２５を１列に並べて設けてもよい。
【００４１】
さらに、係合突起２４を、桁材２２の幅方向に間隔をあけて複数個設けると共に、係合凹所２５を桁材２２の幅方向に間隔をあけて複数列設けることにより、各対の車輪ユニット２の桁材２２同士が相互に回転しないようにしてもよい。
【符号の説明】
【００４２】
１  トレイ体
２  車輪ユニット
３  トレイ
４  スリーブ
５  側壁
６  端壁
７  底壁
８  挿通穴
９  切欠部
１０  段ボール箱
１１  カバー
１２  ジョイント具
２１  車輪
２２  桁材
２３  突当材
２４  係合突起
２５  係合凹所
Ｇ  商品
【図１】
0003210154.tif 000003
【図２】
0003210154.tif 000004
【図３】
0003210154.tif 000005
【図４】
0003210154.tif 000006
【図５】
0003210154.tif 000007
【図６】
0003210154.tif 000008
【図７】
0003210154.tif 000009
【図８】
0003210154.tif 000010
【図９】
0003210154.tif 000011